(57)【要約】【課題】放熱効果が従来のものより高い放熱フレーム構造及びそれの製造方法を提供する。【解決手段】即ち、放熱フレーム構造及びそれの製造方法において、放熱フレーム構造は、一部が発熱体と接触する金属板組立部品と、金属板組立部品と結合することで、金属板組立部品を介した発熱体からの熱を受けるプラスチック合成物とを含む。【選択図】図１
2017045986.tif 000002
【特許請求の範囲】
【請求項１】
放熱フレーム構造において、
一部が発熱体と接触する金属板組立部品と、
前記金属板組立部品と結合することで、前記金属板組立部品を介した前記発熱体からの熱を受けるプラスチック合成物と、
を含むことを特徴とする放熱フレーム構造。
【請求項２】
前記金属板組立部品と前記プラスチック合成物との結合は、少なくともインサート成形により達成されることを特徴とする請求項１に記載の放熱フレーム構造。
【請求項３】
前記インサート成形は、固定手段を有する金型において行われることを特徴とする請求項２に記載の放熱フレーム構造。
【請求項４】
前記金属板組立部品は、一部が前記発熱体と接触の第一の金属板と、一部が前記発熱体と接続の第二の金属板とを含むことを特徴とする請求項１に記載の放熱フレーム構造。
【請求項５】
前記第一の金属板は、前記発熱体と接触の部分と、囲繞部と、第一の電極部とを含むことを特徴とする請求項４に記載の放熱フレーム構造。
【請求項６】
前記第一の金属板の前記囲繞部は、細長い金属板を長手方向における両端が重なるように折り曲げることで、短手方向から見るとき円形であるものに形成され、且つ前記重なった部分は固定されていることを特徴とする請求項５に記載の放熱フレーム構造。
【請求項７】
前記第二の金属板は、Ｌ字形となっており、第二の電極部と、第二の電極部と垂直である前記発熱体と接続の部分とを含み、
前記第二の金属板の前記発熱体と接続の部分の面内方向は、前記第一の金属板の前記発熱体と接触の部分の面内方向と平行し、
前記第二の金属板の前記第二の電極部は、前記第一の金属板の囲繞部に囲繞されることを特徴とする請求項４に記載の放熱フレーム構造。
【請求項８】
前記プラスチック合成物は、固定溝を有するように形成されることを特徴とする請求項４に記載の放熱フレーム構造。
【請求項９】
前記プラスチック合成物は、固定穴を有するように形成されることを特徴とする請求項４に記載の放熱フレーム構造。
【請求項１０】
請求項１〜９のいずれか一項に記載の放熱フレーム構造を製造するための放熱フレーム構造の製造方法。
【発明の詳細な説明】
【技術分野】
【０００１】
本発明は、放熱フレーム構造及びそれの製造方法に関する。
【背景技術】
【０００２】
発光ダイオード（ＬＥＤ）のパッケージ構成では、フレーム型パッケージがあり、それは大電力の発光ダイオードダイをベースに配置してパッケージ成形し、そしてパッケージングした大電力の発光ダイオードをアルミ板に溶接して基本的な放熱をし、次にアルミ板付きの大電力の発光ダイオードを放熱板と結合するものである。ここで、このようなフレーム型パッケージでは、発光ダイオードダイを先に大電力のベースにパッケージングして、導電ペーストにより銅箔表面と接触させ、さらにＦＲ４（エポキシ樹脂ガラス繊維）アルミ板により、導電ペーストと放熱基板の結合で放熱をするようになっている。
【０００３】
このようなフレーム型パッケージでは、一般的に体積が小型となるため、通常１〜３Ｗを選択してパッケージングし、アルミ板の設計を合わせて、より高いワット数に運用している。７Ｗのライトボードを例にすると、放熱ベースを５０ｍｍ＊３０ｍｍのアルミ押し出し筒とした場合、放熱ベースの温度が７０℃と高くなったとき、発光ダイオードに明らかな衰弱が発見され、薄暗いとなり、放熱効果が悪いものとなる。
【０００４】
放熱効率がより優良の技術として、近年ＣＯＢ（ＣｈｉｐＯｎ Ｂｏａｒｄ）パッケージが発展され、従来のフレーム型パッケージと異なり、ＣＯＢパッケージは、アルミ板に直接に一つ以上のＬＥＤダイをパッケージングし、そしてアルミ板と放熱板とを結合して放熱をするものである。
【０００５】
このようなＣＯＢパッケージにおいて、７Ｗのライトボードを例にすると、放熱ベースを５０ｍｍ＊３０ｍｍのアルミ押し出し筒とした場合、温度の上限は７５℃であり、まだ放熱効率を向上させる余地がある。
【発明の概要】
【発明が解決しようとする課題】
【０００６】
本発明の目的は、例えば大電力の発光ダイオードである発熱体が動作時の熱エネルギーを効果的に且つ迅速に導出させることができ、より優れた性能、長寿命、小型になり、更に用途の幅広さを増やし、且つ使いやすさが向上の放熱フレーム構造及びそれの製造方法を提供することにある。
【課題を解決するための手段】
【０００７】
前述のような目的を達成するため、本発明の一態様は、放熱フレーム構造において、一部が発熱体と接触する金属板組立部品と、金属板組立部品と結合することで、金属板組立部品を介した発熱体からの熱を受けるプラスチック合成物とを含む。
【０００８】
金属板組立部品とプラスチック合成物との両方の熱伝導性の結合により、放熱効果が優越となることに加えて、プラスチック合成物を採用した場合の外観、重量、価格、体積における利点を反映することができる。なお、必要に応じて更に他の放熱手段と結合することもできる。
【０００９】
また、本発明の一態様における放熱フレーム構造が含む金属板組立部品とプラスチック合成物との結合は、少なくともインサート成形により達成される。
【００１０】
金属板組立部品とプラスチック合成物とを密接に結合させることで、金属板組立部品とプラスチック合成物との間で媒体を介せずに熱伝導をすることによる完全の接触を達成することにより、熱伝導が迅速であり、放熱が最適な効果に至る。
【００１１】
また、本発明の一態様における放熱フレーム構造において、固定手段を有する金型においてインサート成形を行う。
【００１２】
金属板組立部品とプラスチック合成物との結合が固定手段を有する金型において行われることで、インサート成形時の圧力が過大となることによる金属板組立部品の例えば変形及び位置ずれにより、熱伝導が不均一となり、放熱効果が下がることを防止することができる。なお、必要に応じて、金型において、例えば熱を導出する放熱手段である他の手段を追加することができる。
【００１３】
更に、本発明の一態様における放熱フレーム構造が含む金属板組立部品は、一部が発熱体と接触の第一の金属板と、一部が発熱体と接続の第二の金属板とを含む。
【００１４】
金属板組立部品に少なくもと二つの金属板を含ませることにより、例えば正、負極性を分けてショートを防止することができ、例えばＬＥＤダイである発熱体を直接に金属板に放置して熱伝導をすることができ、更に直接に外用電源のプラグとすることができるとともに、多数の機能を達成し、用途の幅広さを増やすことができる。なお、必要に応じて、放熱板の数を変化させることができる。
【００１５】
また、本発明の一態様における放熱フレーム構造が含む第一の金属板は、発熱体と接触の部分と、囲繞部と、第一の電極部とを含む。
【００１６】
前述のように、一つの金属板で多数の機能を達成することができ、更に体積を減らしたことにより、放熱フレーム構造の用途の幅広さが大幅に向上される。なお、第一の金属板は、発熱体と接触の部分と、囲繞部と、第一の電極部とを含むことに限定されず、必要に応じて他の部分を含むことができる。
【００１７】
また、本発明の一態様における放熱フレーム構造が含む第一の金属板の囲繞部は、細長い金属板を長手方向における両端が重なるように折り曲げることで、短手方向から見るとき円形であるものに形成され、且つ前記重なった部分は固定されている。
【００１８】
前述のように、第一の金属板を、均一に熱伝導をすることができる形状にさせ、また重なった部分を固定することで、第一の金属板はインサート成形時の過大の圧力の影響を受けて変形しやすくなくなる。なお、均一に熱伝導ができるかぎり、必要に応じて、第一の金属板の形状又は固定方式を変化させることができる。
【００１９】
更に、本発明の一態様における放熱フレーム構造が含む第二の金属板は、Ｌ字形となっており、第二の電極部と、第二の電極部と垂直である発熱体と接続の部分とを含み、第二の金属板の発熱体と接続の部分の面内方向は、第一の金属板の発熱体と接触の部分の面内方向と平行し、第二の金属板の第二の電極部は、第一の金属板の囲繞部に囲繞される。
【００２０】
第二の金属板は、例えば製品適用の場合に外部電源に接続するプラグとすることができるとともに、発熱体からの熱を快速にプラスチック合成物に伝導することに助力することができる。もちろん必要に応じて第二の金属板の形状を変化させ、異なる部分を設計することで、更なる機能を提供することができる。
【００２１】
また、本発明の一態様における放熱フレーム構造が含むプラスチック合成物は、固定溝又は固定穴を有するように形成される。
【００２２】
固定溝又は固定穴を用いて他の手段と結合することにより、更に機能を拡張することができる。なお、必要に応じて、プラスチック合成物の外形を変化させることができ、固定溝又は固定穴を形成することのみに限定されない。
【図面の簡単な説明】
【００２３】
【図１】本発明の実施形態における放熱フレーム構造の透視図である。
【図２】本発明の実施形態における放熱フレーム構造の底面図である。
【図３Ａ】本発明の実施形態における放熱フレーム構造において、他の手段と結合して放熱をすることを示す概略図である。
【図３Ｂ】本発明の実施形態における放熱フレーム構造において、他の手段と結合して放熱をすることを示す概略図である。
【図３Ｃ】本発明の実施形態における放熱フレーム構造において、他の手段と結合して放熱をすることを示す概略図である。
【図３Ｄ】本発明の実施形態における放熱フレーム構造において、他の手段と結合して放熱をすることを示す概略図である。
【図４】図１のＡ−Ａでの断面図である。
【図５】本発明の実施形態における金属板組立部品の透視図である。
【図６】本発明の実施形態における複数の第一の金属板の折曲げ加工を上面から見た概略図である。
【図７】本発明の実施形態における単一の第一の金属板の折曲げ加工を示す概略図である。
【図８】本発明の実施形態における放熱フレーム構造の製造のフローチャートである。
【図９Ａ】本発明の実施形態における金型と金属板組立部品との結合方式を示す平面図である。
【図９Ｂ】本発明の実施形態における金型と金属板組立部品との結合方式を示す平面図である。
【図１０】本発明の実施形態におけるインサート成形が行われる器具の断面図である。
【図１１】本発明の実施形態におけるプラスチック合成物と金属板組立部品との結合の状況を示す概略図である。
【発明を実施するための形態】
【００２４】
以下、図面を参照しながら本発明の実施形態を説明する。
【００２５】
図１は、本発明の実施形態における放熱フレーム構造１の透視図である。
【００２６】
図１に示すように、放熱フレーム構造１は、金属板組立部品２と、金属板組立部品２を覆うプラスチック合成物３とを含む。ここで、プラスチック合成物３は、金属板組立部品２を完全に覆うのではなく、例えばＬＥＤダイ（ベアチップ）である発熱体と直接に接触させるために、金属板組立部品２の上面を露出させることで、例えばＬＥＤダイである発熱体からの熱を迅速に金属板組立部品にわたって伝導させるようにしている。
【００２７】
金属板組立部品２の材質は、熱伝導性が良好な金属のいずれかにすることができ、例えば銀、銅、金、アルミニウム、タングステン等であってもよいし、熱伝導性が良好な金属を含む合金であってもよい。但し、銅は熱伝導性が金、アルミニウム、タングステン等よりも良好であり、且つ銀よりも安価であるため、金属板組立部品の材質を銅にするのが好ましい。銅とした場合、熱伝導率は例えば３９０〜４０１Ｗ／ｍＫ程度になる。
【００２８】
プラスチック合成物３については、熱伝導率が例えば１１Ｗ／ｍＫ程度の熱伝導が良好の材料のいずれかが含まれているようにすることができる。本発明の実施形態においては、プラスチック合成物３に例えばポリカーボネイト樹脂及びカーボンブラック（黒リード）複合材等が含まれているものとする。
【００２９】
本発明の実施形態においては、金属板組立部品２とプラスチック合成物３との結合により、例えばＬＥＤダイである発熱体について放熱するものとし、これは金属板組立部品２の熱伝導効果とプラスチック合成物３の結合により、一つの完整の放熱フレームをなし、そしてプラスチック合成物３は外観、重量、価格、体積の変動性の点で金属よりも優れ、二つの結合により、放熱性に損失を与えることなく、放熱フレーム構造１の用途の幅広さを増やすことができるためである。
【００３０】
なお、同図において、プラスチック合成物３は、固定溝３１及び固定穴３２を有するように形成されている。固定溝３１は、他の固定部品との結合により固定機能を発揮することに加えて、他の金属部品と接触することにより、更に例えばＬＥＤダイである発熱体からの熱について熱伝導をすることで、放熱効果を向上するために利用されることができる。固定穴３２は、例えばライトカバーのための固定穴とされ、且つ固定溝３１のように、他の金属部品と接触することにより、更に例えばＬＥＤダイである発熱体からの熱について熱伝導をすることで、放熱効果を向上するために利用されることができる。
【００３１】
以下、図１、図２、図３Ａ、図３Ｂ、図３Ｃ及び図３Ｄを参照して、固定溝３１及び固定穴３２と他の手段との結合により、放熱効果が更に向上されることについて説明する。
【００３２】
図２は、本発明の実施形態における放熱フレーム構造１の底面図である。図３Ａ、図３Ｂ、図３Ｃ、及び図３Ｄは、本発明の実施形態における放熱フレーム構造において、他の手段と結合して放熱をすることを示す概略図である。
【００３３】
図１及び図２に示すように、放熱フレーム構造１において、複数の温度テストポイントＴ１、Ｔ２、Ｔ３、Ｔ４、Ｔ５、Ｔ６、Ｔ７及びＴ８を設定する。まず、温度テストポイントＴ１は、放熱フレーム構造１の上面に設定され、温度テストポイントＴ２、Ｔ３、Ｔ４及びＴ５は、放熱フレーム構造１の側面に設定され、温度テストポイントＴ２とＴ５とは反対側に設定され、温度テストポイントＴ３とＴ４とは反対側に設定され、Ｔ６、Ｔ７及びＴ８は、放熱フレーム構造１の固定溝３１及び固定穴３２が設けられた表面とは異なる面に設定される。テスト結果及びパラメータは、表１に示されているようである。
【００３４】
【表１】
2017045986.tif 000003
【００３５】
表１に示されているように、電力消費量が６．７５３Ｗ、７００ｍＡである場合、温度テストポイントＴ６で測定された温度は９４．１℃であり、温度テストポイントＴ１で測定された温度は８５．２℃であり、温度テストポイントＴ５で測定された温度は７６．３℃である。電力消費量が７．９２Ｗ、８００ｍＡである場合、温度テストポイントＴ６で測定された温度は１１１．２℃であり、温度テストポイントＴ１で測定された温度は１００．３℃であり、温度テストポイントＴ５で測定された温度は８８．４℃である。電力消費量が９．１４６Ｗ、９００ｍＡである場合、温度テストポイントＴ６で測定された温度は１２５℃であり、温度テストポイントＴ１で測定された温度は１１１．６℃であり、温度テストポイントＴ５で測定された温度は９７．３℃である。電力消費量が１０．５９７Ｗ、１０００ｍＡである場合、温度テストポイントＴ６で測定された温度は１３０．８℃であり、温度テストポイントＴ１で測定された温度は１１５．９℃であり、温度テストポイントＴ５で測定された温度は１００℃である。
【００３６】
次に、図３Ａに示すように、２つの５ｍｍ＊３．５ｍｍ＊４７ｍｍの方形アルミ柱を固定溝３１に挿し込んだ後、電力消費量を９．１４６Ｗ、９００ｍＡとした場合、温度テストポイントＴ６で測定された温度は１１３．７℃であり、温度テストポイントＴ１で測定された温度は１０６．７℃であり、温度テストポイントＴ５で測定された温度は８４．７℃であり、温度が明らかに下がったようになる。
【００３７】
更に、図３Ｂに示すように、３つの４５ｍｍ＊３ｍｍの丸型アルミ柱を固定穴３２に挿し込んだ後、電力消費量を９．１４６Ｗ、９００ｍＡとした場合、温度テストポイントＴ６で測定された温度は１１１．８℃であり、温度テストポイントＴ１で測定された温度は９７．３℃であり、温度テストポイントＴ５で測定された温度は８２．３℃であり、温度も明らかに下がったようになる。
【００３８】
また、図３Ｃに示すように、３つの１５ｍｍ＊３ｍｍの丸型アルミ柱を固定穴３２に挿し込んだ後、電力消費量を９．１４６Ｗ、９００ｍＡとした場合、温度テストポイントＴ６で測定された温度は１１３．７℃であり、温度テストポイントＴ１で測定された温度は１０６．１℃であり、温度テストポイントＴ５で測定された温度は８６．３℃であり、温度も明らかに下がったようになる。
【００３９】
更に、図３Ｄに示すように、３つの１５ｍｍ＊３ｍｍの丸型アルミ柱を固定穴３２に挿し込んだ後、更に６０ｍｍ＊６０ｍｍ＊０．２ｍｍのアルミ板を加えた後、電力消費量を９．１４６Ｗ、９００ｍＡとした場合、温度テストポイントＴ６で測定された温度は１０９．２℃であり、温度テストポイントＴ１で測定された温度は９９℃であり、温度テストポイントＴ５で測定された温度は８１℃であり、温度が明らかにより下がったようになる。
【００４０】
このように、固定溝３１及び固定穴３２はいずれも、例えば他の金属部品と接触することにより、更に例えばＬＥＤダイである発熱体からの熱について熱伝導をすることで、放熱効果を向上するために用いられることができる。
【００４１】
本発明の実施形態において、プラスチック合成物３は、固定溝３１及び固定穴３２を有するように形成されるが、これらに限定されず、必要に応じて、プラスチック合成物３の外形を変化させることができる。
【００４２】
以下、図４及び５を参照して、本発明の実施形態における金属板組立部品２について更に説明する。
【００４３】
図４は、図１のＡ−Ａでの断面図である。図５は、本発明の実施形態における金属板組立部品２の透視図である。
【００４４】
図４及び５に示すように、本発明の実施形態における金属板組立部品２は、第一の金属板２１及び第二の金属板２２を含む。第一の金属板２１及び第二の金属板２２は、それぞれ必要に応じて異なる形状に形成されて、同一又は異なる機能を提供する。
【００４５】
具体的には、図４及び５に示すように、第一の金属板２１は、例えばＬＥＤダイである発熱体と直接に接触するための部分２１１と、均一に熱伝導するための囲繞部２１２と、第一の電極部２１３とを含む。なお、図５に示すように、囲繞部２１２の両端は、それぞれ接続用穴Ｈを有するように形成される。接続用穴Ｈについては、後で更に説明する。
【００４６】
なお、図４及び５に示すように、第二の金属板２２は、Ｌ字形となっており、第二の電極部２２２及び第二の電極部２２２と垂直の、例えばＬＥＤダイである発熱体と接続の部分２２１を含むようになっている。
【００４７】
前述のように、単一の金属板を用いると、従来の使用方式に戻り、そのＬＥＤをまずアルミ板に溶接し、更に単一の金属板にロックし、且つ追加として正、負極性を外用電源とワイヤボンディングすることが必要となり、単一の金属板に電力が投入された場合、正負電源を加えるとショートになるおそれがある。
【００４８】
従って、本発明の実施形態においては、金属板組立部品２に、少なくとも二つの金属板であって、第一の金属板２１及び第二の金属板２２を含ませることで、例えば正、負極性を分けてショートを防止することができ、そして例えばＬＥＤダイである発熱体を直接に第一の金属板２１に放置して熱伝導し、第二の金属板２２は、例えば製品適用の場合に外部電源に接続するプラグとすることができるとともに、発熱体からの熱を快速にプラスチック合成物に伝導することに助力することができるため、同時に多数の機能を達成し、用途の幅広さが増やされる。
【００４９】
以下、図６〜１０を参照して、放熱フレーム構造１の製造工程について説明する。図６は、本発明の実施形態における複数の第一の金属板２１の折曲げ加工を上面から見た概略図である。図７は、本発明の実施形態における単一の第一の金属板２１の折曲げ加工の概略図である。図８は、本発明の実施形態における放熱フレーム構造１の製造のフローチャートである。図９Ａ及び９Ｂは、本発明の実施形態における金型４と金属板組立部品２の結合方式を示す平面図である。図１０は、本発明の実施形態におけるインサート成形が行われる器具の断面図である。
【００５０】
まず、複数の第一の金属板２１は、順次に治具完成、ニッケルめっき、局部金めっき、切削、スタンピングにより、図６及び７における最上に示すようなものに形成される。次に、順次に図６及び７における２〜４番目のもので示すように、第一のアーク曲げ、第二の折り曲げ、第三の丸めることを行うことで、短手方向から見るとき実質的に囲繞状であるものに形成され、且つ図６に示すような二つの接続用穴Ｈを重ねる。最後に、重なった部分の接続用穴Ｈに対して、リベット等で固定する。
【００５１】
なお、第二の金属板２２は、順次に治具完成、ニッケルめっき、金めっき、スタンピング、切削、折り曲げ等を経由して、図４及び５に示すようなものに形成される。
【００５２】
次に、図８に示す流れに従い、まず図９Ａ及び９Ｂに示すような固定手段を有する金型４（ステップＳ１）を用意し、次に前述のように作られた第一の金属板２１と第二の金属板２２とを金型４内に配置して固定し（ステップＳ２）、次にプラスチック合成物３を加えて、図１０に示すようなもので、インサート成形を行い（ステップＳ３）、図１に示すような放熱フレーム構造１を形成する。
【００５３】
本発明の実施形態において、図９Ａ及び９Ｂに示すように、固定手段については、金型４において、金属板組立部品２に合わせて複数の固定柱４１を架設することで、インサート成形時の圧力が過大となることによる金属板組立部品２の変形及び位置ずれで熱伝導が不均一となることを防止して、放熱効果が下がることを防止するものとしている。しかし、本発明の固定手段は、固定柱を架設することに限定されず、上述の効果を達成できる限り、各々の方式を採用することができる。
【００５４】
なお、本発明の実施形態において、第一の金属板２１については、重なった部分の接続用穴Ｈに対してリベット等で固定し、固定が便利で早く、インサート成形の時の過大な圧力を受けて変形しやすいことにもならない。しかし、第一の金属板２１の囲繞部２１２を形成する方式は、上述の効果を達成できる限り、各々の方式を採用することができる。
【００５５】
例えば、一体成形に設計してもよい。この場合、いずれの前述のようなリベット等を用いた固定方式の必要がなくても、熱を更に早く、均一に受けることができる。
【００５６】
更に、本発明の実施形態において、硬度がプラスチック合成物よりも強く、そして仕上がりの精度の必要から、金型４は、スチール型にすることが好ましい。しかし、上述の効果を達成できる限り、他の材質の金型にしてもよい。
【００５７】
前述のように放熱フレーム構造１を形成した後、図５に示すように、第二の金属板２２の例えばＬＥＤダイと接続の部分２２１の面内方向は、與第一の金属板２１の例えばＬＥＤダイである発熱体と接触の部分２１１の面内方向と平行し、且つ第二の金属板２２の第二の電極部２２２は、第一の金属板２１の囲繞部２１２に囲繞される。
【００５８】
従って、第二の金属板２２は、例えば製品適用の場合に外部電源に接続するプラグとすることができるとともに、発熱体からの熱を快速にプラスチック合成物に伝導することに助力する。もちろん、必要に応じて第二の金属板２２の形状を変化させ、異なる部分を設計して、更なる機能を提供することができる。
【００５９】
図１１は、本発明の実施形態におけるプラスチック合成物と金属板組立部品との結合の状況を示す概略図である。
【００６０】
図１１に示すように、上述のように放熱フレーム構造１を形成することにより、金属板組立部品２はプラスチック合成物３と途切れなく結合することができ、例えばＬＥＤダイである発熱体により生成の熱を迅速に金属板組立部品２を経由してプラスチック合成物３に伝導し、放熱効果を向上することができる。
【００６１】
一般的には、熱伝導又は放熱が必要の場合、二つの物質を接触させ、且つ両者の間の接触面積を増加させて、最適な熱伝導効果に至るために、例えば熱伝導ペースト又は熱伝導パッド等の媒体を用いる。しかし、いずれにしても、やはり媒体を介して熱伝導をしているので、完全の接触の効果を達成することができない。従って、本実施形態における放熱フレーム構造１は、インサート成形により、金属板組立部品２とプラスチック合成物３とを、いずれの媒体を介する必要がないように、完全の接触を達成させて、熱伝導効果を最大に発揮するようにしているため、例えば大電力の発光ダイオードが動作時の熱エネルギーを効果的に且つ迅速に導出することができ、より優れた性能、長寿命、小型になり、更に用途の幅広さを増やし、且つ使いやすさが向上する。
【００６２】
なお、前述のように放熱フレーム構造１を形成した後、金属板組立部品２は、異なる金属板であって、第一の金属板２１及び第二の金属板２２それぞれで、例えばＬＥＤダイである発熱体に例えば直接に放置する位置Ｐ１及びワイヤボンディングの位置Ｐ２を提供することができる。なお、図１及び１１に示すように、前述のように放熱フレーム構造１を形成した後、プラスチック合成物３が金属板組立部品２を完全に覆うのではなく、金属板組立部品の上面を露出させて、例えばＬＥＤダイである発熱体と直接に接触させることで、例えばＬＥＤダイである発熱体からの熱を迅速に金属板組立部品２全体に伝導する。
【００６３】
以上の本発明の実施形態によると、例えば大電力の発光ダイオードである発熱体が動作時の熱エネルギーを効果的に且つ迅速に導出することができ、より優れた性能、長寿命、小型になり、更に用途の幅広さを増やし、且つ使いやすさが向上の放熱フレーム構造及びそれの製造方法を提供することができる。
【００６４】
以上では、本発明について以上の実施形態に基づいて具体的に説明したが、本発明は、前述の実施形態に限定されるものではなく、趣旨の範囲を逸脱しない限り、各々の修飾、変形をすることができる。
【符号の説明】
【００６５】
１：放熱フレーム構造
２：金属板組立部品
２１：第一の金属板
２１１：第一の金属板の一部
２１２：囲繞部
２１３：第一の電極部
２２：第二の金属板
２２２：第二の電極部
２２１：第二の電極部の一部
３：プラスチック合成物
３１：固定溝
３２：固定穴
４：金型
４１：固定柱
【図１】
2017045986.tif 000004
【図３Ａ】
2017045986.tif 000005
【図３Ｂ】
2017045986.tif 000006
【図３Ｃ】
2017045986.tif 000007
【図３Ｄ】
2017045986.tif 000008
【図４】
2017045986.tif 000009
【図５】
2017045986.tif 000010
【図６】
2017045986.tif 000011
【図７】
2017045986.tif 000012
【図８】
2017045986.tif 000013
【図９Ａ】
2017045986.tif 000014
【図９Ｂ】
2017045986.tif 000015
【図１０】
2017045986.tif 000016
【図１１】
2017045986.tif 000017
【図２】
2017045986.tif 000018